(57)【要約】      （修正有）【課題】より簡単に構成されていて、高い効率を有し、且つポンプ内の層状の流れ特性を保証する媒体圧送用ポンプを提供する。【解決手段】液状媒体、粘性媒体又は固体媒体圧送用ポンプは、永久磁石形のロータ３並びにステータ４を備えた同期モータ２と、２つのパイプフランジ９，１０とを有しており、ロータ３は、少なくとも１つの軸受け５によりステータ４から隔てられており、ロータ３は、少なくとも１つの羽根車８を有しており、同期モータ２は、パイプフランジ９，１０間に解離可能に配置されている。【選択図】図２
0003188469.tif 000002
【実用新案登録請求の範囲】
【請求項１】
永久磁石形のロータ（３）並びにステータ（４）を備えた同期モータ（２）と、２つのパイプフランジ（９，１０）とを有しており、
前記ロータ（３）は、少なくとも１つの軸受け（５）により前記ステータ（４）から隔てられており、
前記ロータ（３）は、少なくとも１つの羽根車（８）を有しており、
前記同期モータ（２）は、前記パイプフランジ（９，１０）間に解離可能に配置されていることを特徴とする、液状媒体、粘性媒体又は固体媒体圧送用ポンプ（１）。
【請求項２】
前記軸受け（５）は、滑り軸受け、転がり軸受け又は玉軸受けである、請求項１記載のポンプ。
【請求項３】
前記軸受け（５）は、前記ステータ（４）とロータ（３）との間に配置されている、請求項１又は２記載のポンプ。
【請求項４】
付加的に、少なくとも１つの軸受け支持体（６）が設けられている、請求項１又は２記載のポンプ。
【請求項５】
前記軸受け支持体（６）は、軸（７）を有している、請求項４記載のポンプ。
【請求項６】
前記軸（７）は、前記羽根車（８）をガイドするために用いられる、請求項５記載のポンプ。
【請求項７】
前記軸受け支持体（６）と前記軸（７）との間に、少なくとも１つの軸受け（５）が配置されている、請求項４から６までのいずれか１項記載のポンプ。
【請求項８】
前記軸受け支持体（６）は、前記ステータ（４）に結合されている、請求項４から７までのいずれか１項記載のポンプ。
【請求項９】
前記軸受け支持体（６）は、少なくとも１つの、前記ステータ（５）との結合部を有している、請求項８記載のポンプ。
【請求項１０】
前記ポンプ（１）は、パイプ系に組込み可能である、請求項１から９までのいずれか１項記載のポンプ。
【考案の詳細な説明】
【技術分野】
【０００１】
本考案は、媒体圧送用ポンプに関する。本考案は特に、永久磁石形のロータ並びにステータを備えた同期モータを有する媒体圧送用ポンプに関する。
【背景技術】
【０００２】
従来技術から、同期モータを有する多数のポンプが公知である。このような装置の多くは、大抵複雑な構成で、最適な効率を有してはいない。
【考案の概要】
【考案が解決しようとする課題】
【０００３】
したがって本考案の課題は、より簡単に構成されていて、高い効率を有し、且つポンプ内の層状の流れ特性を保証するポンプを提供することにある。
【課題を解決するための手段】
【０００４】
この課題は、請求項１記載の特徴を備えたポンプにより解決される。即ち、永久磁石形のロータ並びにステータを備えた同期モータと、２つのパイプフランジとを有しており、ロータは、少なくとも１つの軸受けによりステータから隔てられており、且つロータは少なくとも１つの羽根車を有しており、前記同期モータはパイプフランジ間に解離可能に配置されていることを特徴とする、液状媒体、粘性媒体又は固体媒体圧送用ポンプにより解決される。
【考案の効果】
【０００５】
ステータとは、装置の定置の不動の構成部材を意味する。
【０００６】
ステータの対応部材はロータと呼び、ロータは装置の可動の回転部材を成している。
【０００７】
同期モータは、実質的に１つのステータと１つのロータとから成る。
【０００８】
同期モータは、モータとして運転する同期機であって、この同期機では、常磁性の回転子、つまりロータが、取り囲んでいるステータ内で運動する回転磁界により同期的に連行される。回転している同期モータは、交流電圧に対して同期的な運動を有している。
【０００９】
回転子内の磁界は、永久磁石、好ましくは回転子として磁化されたフェライト円筒によって形成される。ステータコイルは、特に大型の同期機の場合、好ましくは周波数変換器により、制御された適当な交流で作動される。これにより、大きな出力の回転数可変の駆動装置が実現可能である。
【００１０】
ステータ回転磁界は、接続時に直ちに同期回転数で回転する。しかし回転子は、その慣性モーメントに基づき、加速にやや時間がかかる。よって、同期モータは始動補助、好ましくは始動ケージを必要とする。回転子がほぼ同期回転数に達すると、回転子巻線の励磁電流が接続され、これにより、ロータが回転しているステータ回転磁界に吸引される。
【００１１】
羽根車は、ポンプの可動の回転部材である。好ましくは、羽根車はロータの構成部材である。
【００１２】
羽根車は、好ましくは適当な固定手段を介してロータに保持される、冠状の（案内）羽根、翼若しくはロータブレードから成っている。
【００１３】
羽根車は、ロータと好ましくは材料接続的に結合されている。この場合に適しているのは、一体的な製造又は羽根車とロータとの間の溶接結合である。特に好ましくは、解離可能であってもよい形状接続的な結合が適している。
【００１４】
好ましくは、羽根車は非鉄金属、金属又はプラスチックから成っている。
【００１５】
フランジの使用は、パイプ部分を互いに密に、しかし解離可能に結合する手段である。密性に関して重要なのは、中間に位置するシールに対する円環状のシール面の圧着圧力である。この圧着圧力は、好ましくはフランジのフランジ板に設けられた孔に挿通されたねじ締結手段により達成される。
【００１６】
軸受けは、相対的に運動する構成部材を案内するための機械構成部材である。軸受けは、所望の自由度での運動を可能にし、且つ所望されない自由度での運動を阻止する。
【００１７】
本考案の有利な改良では、軸受けは滑り軸受け、転がり軸受け又は玉軸受けである。
【００１８】
これにより、摩擦延いては損失出力及び摩耗を最少限に抑えることができる。好ましいのはラジアル軸受けであり、特に好ましいのはラジアルアキシャル軸受け（ラジアックス軸受け）である。特に好ましくは、更に高い効率の静圧滑り軸受けも使用される。
【００１９】
本考案の更に有利な改良では、軸受けはステータとロータとの間に配置されている。この場合、軸受けはロータの外面の周りで且つステータの内面に配置されている。軸受けとロータとステータとは、好ましくは中空円筒形を有している。
【００２０】
好ましくは、軸受けはステータとロータとの間に、半径方向及び／又は軸方向に配置されていて、これにより、同期モータ内のステータとロータの、ずれの無い最適な支承が保証されている。
【００２１】
軸受けをステータロータとの間に設けることにより、同期モータは高い効率においてほぼ損失の無い一様な回転運動を達成することができる。
【００２２】
本考案の更に別の有利な改良では、付加的に少なくとも１つの軸受け支持体が設けられている。
【００２３】
これにより、ロータをポンプ内で支持する手段が得られる。軸受け支持体は好ましくは、軸を受容するために受容手段、好ましくは開口を有するように構成されており、この場合、開口はポンプの中心で長手方向に延びている。
【００２４】
本考案の更に別の有利な改良では、軸受け支持体は、軸を有している。
【００２５】
軸は、その最も単純な形状では棒状の機械要素であって、回転運動及びトルクの伝達に使用される。軸は、軸線とは異なりトルクを伝達し且つねじり負荷されるものである。
【００２６】
軸受け支持体は、軸を受容するように構成されている。
【００２７】
本考案の更に別の有利な改良では、軸は、羽根車をガイドするために用いられる。
【００２８】
これにより、羽根車延いてはロータがポンプの中心で正確にガイド可能であることが保証されている。
【００２９】
好適には、ロータと結合された羽根車は、軸とも固着結合されている。
【００３０】
この場合、好適には材料接続的な結合（一体又は溶接）、又は形状接続的な結合（あり継ぎ又はもみの木状継手）が選択される。これにより、トルクを軸に伝達し且つ大型の高速回転機において顕著な遠心力を補償する摩擦接続が生ぜしめられることになる。
【００３１】
本考案の更に別の有利な改良では、少なくとも１つの軸受けが、軸受け支持体と軸との間に配置されている。
【００３２】
これにより、摩擦延いては損失出力及び軸受け内の摩耗が最少限に抑えられる。軸は、その回転運動を阻止されずに行うことができる。
【００３３】
本考案の更に別の有利な改良では、軸受け支持体がステータに結合されている。
【００３４】
これにより、軸受け支持体を簡単に、ステータ延いてはポンプ内に定置で取り付けることができる。この位置固定は、好ましくは溶接結合又は複合鋳造結合によって行われる。
【００３５】
特に好ましくは、軸受け支持体は少なくとも１つの、ステータとの固着結合部を有している。つまり、軸受け支持体は、例えば支柱を用いてステータに結合可能である。
【００３６】
結合の剛性を高めるために、特に好ましくは２つ、３つ、４つ又はそれ以上の、ステータとの固着結合部が設けられている。
【００３７】
本考案の更に別の有利な改良では、媒体は液状媒体、粘性媒体又は固体媒体である。
【００３８】
これにより、液状媒体や粘性媒体の他に、砂利、砕石等の固体も圧送することができる。
【００３９】
本考案の更に別の有利な改良では、ポンプはパイプ系に組込み可能である。
【００４０】
同期モータの両側にパイプフランジを取り付けることにより、ポンプをあらゆる既存のパイプ系に簡単に取り付けるか、若しくは系に組み込むための手段が得られる。
【図面の簡単な説明】
【００４１】
【図１】本考案によるポンプの斜視図である。
【図２】図１に示した本考案によるポンプの縦断面図である。
【図３】図１に示したポンプの択一的な実施形態の縦断面図である。
【図４】図３に符号Ａで示した範囲の詳細図である。
【考案を実施するための形態】
【００４２】
以下に、本考案を実施するための形態を図面につき詳しく説明する。
【００４３】
図１には、本考案によるポンプ１の斜視図が示されている。このポンプ１は基本的に、ケーシングを備えた同期モータ２と、同期モータ２の左右に接続するパイプフランジ９，１０の、３つの部分領域に分かれている。
【００４４】
図２には、本考案によるポンプの個々の構成部材が縦断面図で示されている。図２について、最初に個々の構成部材を別個に説明してから、これらの構成部材の協働について詳しく説明する。
【００４５】
図２に示したポンプは、次の構成部材、ロータ３とステータ４とから構成された同期モータ２、滑り軸受け５、羽根車８及び２つのパイプフランジ９，１０を有している。
【００４６】
同期モータ２のロータ３は、羽根車８を包囲している。羽根車８は、適当な固定手段を介してロータ３に保持される冠状の羽根／翼から成っている。本実施形態では、羽根車８は溶接結合によってロータ３に固着結合されているか、若しくは形状接続的に（形状的な束縛、例えば係合による結合）、若しくは摩擦接続的に、ロータ３に固着結合されている。
【００４７】
（回転対称的な）ロータ３はステータ４に対して、同期モータ２の両構成部材が重ならないように、つまり、直接には接触せず延いてはボディーコンタクトを生じないように配置されている。この無接触状態を保証するために、２つの滑り軸受け５が設けられている。この場合、これらの滑り軸受け５は、ロータ３の外周面の２つの外側部分領域の周りに、半径方向に見て中空円筒状に配置されている。
【００４８】
更に、滑り軸受け５は、ステータ４の内側に面した２つの領域に位置しているので、ロータ３のステータ４との直接的な接触は排除されている。
【００４９】
同期モータ２は、２つのパイプフランジ９，１０の間に、ねじ締結（図示せず）によって解離可能に取り付けられている。
【００５０】
本考案によるポンプ１では、永久磁石形のロータ３が連続的に回転運動すると、液状媒体、粘性媒体及び固体媒体が、効果的且つ連続的に圧送され得る。この場合、羽根車の一様な回転に加えて、圧送される媒体の乱流は阻止されることが望ましい。
【００５１】
図３には、図１に示した本考案によるポンプの択一的な実施形態の個々の構成部材が、縦断面図で示されている。図３について、最初に個々の構成部材を別個に説明してから、これらの構成部材の協働について詳しく説明する。
【００５２】
図３に示したポンプは、次の構成部材、ロータ３とステータ４とから構成された同期モータ２、滑り軸受け５、軸受け支持体６、軸７、羽根車８及び２つのパイプフランジ９，１０を有している。
【００５３】
同期モータ２のロータ３は、羽根車８を包囲している。羽根車８は、適当な固定手段を介してロータ３に保持される冠状の羽根／翼から成っている。本実施形態では、羽根車８は溶接結合によってロータ３に結合されているか、若しくは形状接続的に、若しくは摩擦接続的に、ロータ３に結合されている。
【００５４】
ロータ３はステータ４に対して、同期モータ２の両構成部材が重ならないように、つまり、直接には接触せず延いてはボディーコンタクトを生じないように配置されている。この無接触状態を保証するために、２つの滑り軸受け５と、２つの軸受け支持体６と、軸７とが設けられている。
【００５５】
軸受け支持体６はポンプ１内で、羽根車８の両側で半径方向に十字形に延びている。この場合、軸受け支持体６は、ステータ４に固着結合されている。軸受け支持体６は、軸７の支承に用いられる。軸受け支持体６と軸７との間には、滑り軸受け５が設けられている（図４）。この場合、滑り軸受け５は、軸７の両端部の部分領域において、軸７を取り囲むように配置されている。
【００５６】
同期モータ２は、２つのパイプフランジ９，１０の間に、ねじ締結（図示せず）によって解離可能に取り付けられている。
【００５７】
本考案によるポンプ１では、永久磁石形のロータ３が連続的に回転運動すると、液状媒体、粘性媒体及び固体媒体が、効果的且つ連続的に圧送され得る。ポンプ１内の乱流を阻止するために、好適には軸７の両端部にキャップ／ドームが被せ嵌められる（図示せず）。この場合、キャップは、ポンプ内の流れ特性に適合する半球形又は鐘形に類似した幾何学形状を有している。
【００５８】
本考案に基づくポンプは、コンパクトなユニットを提供し、このコンパクトなユニットは更に、単純な技術的構成と少ない構成部材数とにおいて優れており、更に、高い効率を有しており、且つほぼ層状の流れ特性を保証する。
【符号の説明】
【００５９】
１  ポンプ、  ２  同期モータ、  ３  ロータ、  ４  ステータ、  ５  滑り軸受け、  ６  軸受け支持体、  ７  軸、  ８  羽根車、  ９，１０  パイプフランジ
【図１】
0003188469.tif 000003
【図２】
0003188469.tif 000004
【図３】
0003188469.tif 000005
【図４】
0003188469.tif 000006